(57)【要約】【課題】内部が長期間にわたって汚染されにくく、しかも、何かの拍子で引き出しが抜け出すことがない陳列台を提供する。【解決手段】陳列台本体１と、この陳列台本体１に形成された引き出し収容部１４と、この引き出し収容部１４に出し入れ自在に収容される引き出し２とを備え、上記引き出し２の底壁に、その壁面から突出するストッパー２４を着脱自在に固定し、上記ストッパー２４に対応する上記引き出し収容部１４の内壁面の部分に、上記引き出し２の出し入れに応じてストッパー２４が移動するための凹部を設け、この凹部に、上記引き出し２を所定の位置まで引き出した際に上記ストッパー２４と当接してその移動を阻止する阻止手段を設け、上記引き出し収容部１４に、上記ストッパー２４を取り出すための開口部１５を設けている。【選択図】図１０
2005087545.tif 000002
【特許請求の範囲】
【請求項１】
陳列台本体と、この陳列台本体に形成された引き出し収容部と、この引き出し収容部に出し入れ自在に収容される引き出しとを備え、上記引き出しの左右両側壁および底壁のいずれか１つに、その壁面から突出するストッパーを着脱自在に固定し、上記ストッパーに対応する上記引き出し収容部の内壁面の部分に、上記引き出しの出し入れに応じてストッパーが移動するための凹部を設け、この凹部に、上記引き出しを所定の位置まで引き出した際に上記ストッパーと当接して上記引き出しの移動を阻止する阻止手段を設け、上記引き出し収容部に、上記ストッパーを取り出すための開口部を設けたことを特徴とする陳列台。
【請求項２】
上記引き出しの上面が、化粧料容器等の展示物品を載置する載置面に形成されている請求項１記載の陳列台。
【発明の詳細な説明】
【技術分野】
【０００１】
本発明は、化粧料（テスター用化粧料等を含む）を店頭等に陳列するために用いられる陳列台に関するものである。
【背景技術】
【０００２】
従来から、多種類の化粧料をコンパクトにまとめて陳列することができて陳列スペースをとらないようにしたものとして、図１２に示すような、引き出し式の化粧料陳列台が使用されている（例えば，特許文献１参照）。この化粧料陳列台は、その上端部が、多種類の化粧料を陳列するための化粧料陳列部３１に形成されており、その下部が、引き出し３３を収容するための引き出し部収容３２に形成されている。そして、購入（もしくは試用）の際には、所定の引き出し３３を前方に引き出し、その引き出し３３内から所望の化粧料を取り出すことを行う。図において、３４は化粧料を収容する化粧料容器である。
【０００３】
上記のような引き出し３３には、通常、図１３に示すように、その底面からストッパー３５が下向きに突設されているとともに、上記引き出し収容部３２に、上記ストッパー３５と摺動自在に係合する凹部３６が設けられており、この凹部３６の前面３６ａにストッパー３５を当接させるとこで、引き出し３３を所定の位置より前方に引き出せないようにしている。また、引き出し３３と引き出し収容部３２との間には、上下方向に少し隙間３７が設けられている。そして、上記引き出し３３の奥側部分や引き出し収容部３２の内部をきれいに掃除したり、各部のメンテナンス等を行ったりする場合には、上記隙間３７を利用して、引き出し３３を少し浮かせてストッパー３５と凹部３６との係合を外したのち（図１４参照）、引き出し３３の全体を引き出し収容部３２から引き出すようにしている。
【特許文献１】特開２００３−２３５７００号公報
【発明の開示】
【発明が解決しようとする課題】
【０００４】
しかしながら、上記のような化粧料陳列台では、引き出し３３と引き出し収容部３２との間に上下方向に少し隙間３７が設けられているため、この隙間３７から多量の塵埃等が引き出し収容部３２の内部に侵入し、内部が早期に汚染されるという問題がある。しかも、上記隙間３７があるため、使用者等が意図していなくても、何かの拍子で引き出し３３が引き出し収容部３２から抜け出すという問題もある。
【０００５】
本発明は、このような事情に鑑みなされたもので、内部が長期間にわたって汚染されにくく、しかも、何かの拍子で引き出しが抜け出すことがない陳列台の提供をその目的とする。
【課題を解決するための手段】
【０００６】
上記の目的を達成するため、本発明の陳列台は、陳列台本体と、この陳列台本体に形成された引き出し収容部と、この引き出し収容部に出し入れ自在に収容される引き出しとを備え、上記引き出しの左右両側壁および底壁のいずれか１つに、その壁面から突出するストッパーを着脱自在に固定し、上記ストッパーに対応する上記引き出し収容部の内壁面の部分に、上記引き出しの出し入れに応じてストッパーが移動するための凹部を設け、この凹部に、上記引き出しを所定の位置まで引き出した際に上記ストッパーと当接して上記引き出しの移動を阻止する阻止手段を設け、上記引き出し収容部に、上記ストッパーを取り出すための開口部を設けたという構成をとる。
【発明の効果】
【０００７】
すなわち、本発明の陳列台は、その引き出しを引き出すと、（引き出しの左右両側壁および底壁のいずれか１つに、その壁面から突出する状態で着脱自在に固定した）ストッパーが、このストッパーに対応する引き出し収容部の内壁面の部分に設けた凹部を移動し、ついで、所定の位置まで引き出すと、ストッパーが、凹部に設けた阻止手段に当接し、その位置で止まる。また、引き出しの奥側部分を掃除等する場合には、引き出し収容部に設けた開口部を利用し、ストッパーを引き出しの左右両側壁および底壁のいずれか１つから取り外して外部に取り出すことを行う。これにより、引き出しを引き出すだけで、引き出しの全体を引き出し収容部から引き出すことができるようになり、従来例のように、引き出しを少し浮かせてストッパーと凹部との係合を外すという作業をする必要がなくなる。したがって、本発明の陳列台では、引き出しと引き出し収容部との間に上下方向に隙間を設ける必要がなくなり、このため、引き出しと引き出し収容部との間から塵埃等が内部に侵入することが殆どなく、内部が長期間にわたって汚染されにくくなる。しかも、ストッパーを取り外さない限り、引き出しの全体を引き出し収容部から取り出すことができず、何かの拍子で引き出しが引き出し収容部から抜け出すということもなくなる。
【０００８】
また、上記引き出しの上面が、化粧料容器等の展示物品を載置する載置面に形成されていると、上記引き出しの上面を利用して、化粧料容器等の展示物品を載置することができる。
【発明を実施するための最良の形態】
【０００９】
つぎに、本発明の実施の形態を図面にもとづいて詳しく説明する。
【００１０】
図１は本発明の陳列台の一実施の形態を示している。図において、１は引き出し２が収容された陳列台本体であり、３は上記陳列台本体１の背部にねじ４（図２参照）で固定されたバックボードである。また、５はその表面に品名，ブランド名，写真，広告等が記載されたＰＯＰ板であり、後述する陳列台本体１の背部透明板１３とバックボード３との間に挟持されている（図２参照）。
【００１１】
上記陳列台本体１は、図３および図４に示すように、その上面に鏡面部１２が形成された陳列台部１１と、上記鏡面部１２の後端縁から垂直に立設された透明プラスチック製の背部透明板１３とを備えており、上記陳列台部１１の前面部に前面開放状の引き出し収容部１４が形成されている。そして、この引き出し収容部１４の前面から上記引き出し２が出し入れ自在に収容されている。
【００１２】
この引き出し収容部１４には、その底壁１４ａに、後述するストッパー２４が移動しうる開口部１５（この開口部１５は、引き出し２の出し入れに応じてストッパー２４が移動するための凹部と、ストッパー２４を外部に取り出すための開口部との双方を兼用している）が穿設されており、この開口部１５の前面１５ａ（阻止手段）にストッパー２４が当接すると、引き出し２の前方への移動が止まるようにしている。また、上記引き出し収容部１４には、図５および図６に示すように、その上面に、その左右方向の略全幅にわたって延びる前後一対の突条１６が突設されているとともに、これら両突条１６の下面に、上側フェルト１７が接着，固定されており、これら両上側フェルト１７が、後述する引き出し２の内側鏡面部２２の表面に当接し、引き出し２の移動時における、内側鏡面部２２の表面の傷付き防止と、引き出し２と引き出し収容部１４との間のがた付き防止をしている。また、上記引き出し収容部１４には、その左右両側面にそれぞれ、その前後方向の略全幅にわたって延びる左右一対のフェルト１８が接着，固定されており、これら両横側フェルト１８が、引き出し２の左右両側面に当接し、引き出し２と引き出し収容部１４との間のがた付き防止をしている。
【００１３】
上記引き出し２は、図７および図８に示すように、上記引き出し収容部１４に出し入れ自在に収容される平板状の内側陳列台部２１と、この内側陳列台部２１の上面に形成された内側鏡面部２２と、上記内側陳列台部２１の前端部に固定され上記引き出し収容部１４の外側に位置決めされる外側部材２３と、上記内側陳列台部２１の底面の後端部にねじ２５で固定されたストッパー２４（図９参照）とで構成されており、このストッパー２４が、上記引き出し収容部１４の開口部１５内を前後方向に移動可能な状態で（ただし、開口部１５の前面１５ａにストッパー２４が当接すると、引き出し２は止まる）、上記開口部１５内に収容されている（図１０参照）。
【００１４】
また、上記ストッパー２４は、左右方向に細長い長方形状に形成された上側板２４a と、この上側板２４a の下面に接着，固定された上側板２４a より短い下側板２４ｂとからなり、上記上側板２４a の左右方向幅が上記内側陳列台部２１の左右方向幅より短く形成されている。これにより、上記内側陳列台部２１の底面の後端部にストッパー２４を固定した状態で、ストッパー２４の左右両側に内側陳列台部２１が存在しており、上記ストッパー２４の左右両側の外側部分に対応する上記内側陳列台部２１の部分が、上記引き出し収容部１４の底壁１４ａの左右両側部分に摺動自在に載置されている。図７において、２６は上記外側部材２３の上面に固定したコ字状の取っ手である。
【００１５】
上記バックボード３は、図２に示すように、透明プラスチック製の透明板２７と、この透明板２７の下端部に固定された脚部２８とからなり、この脚部２８が上記陳列台本体１の背部にねじ４で固定されている。
【００１６】
上記の構成において、通常は、引き出し２を陳列台本体１の引き出し収容部１４にしまった（押し込んだ）状態で、陳列台本体１の上面の鏡面部１２に多数の化粧料容器（展示物品）（図示せず）を載置，陳列する。また、追加の化粧料容器（展示物品）（図示せず）を陳列する場合には、引き出し２を前方に引き出し（図１１参照）、この引き出し２の上面の内側鏡面部２２に追加の化粧料容器を載置，陳列する。また、引き出し２の奥側部分を掃除等する場合には、引き出し収容部１４の開口部１５を利用し、外側からねじ２５，ストッパー２４を取り外して外部に取り出したのち、引き出し２を前方に引き出し、引き出し２の全体を引き出し収容部１４から取り出すことを行う。
【００１７】
上記のように、この実施の形態では、陳列台本体１に、上面に内側鏡面部２２が形成された引き出し２を設けているため、引き出し２を引出すことで、追加の化粧料容器を陳列することができる。しかも、引き出し２の奥側部分を掃除等する場合には、引き出し収容部１４の開口部１５を利用し、ストッパー２４を取り外すと、引き出し２を前方に引き出すだけで、引き出し２の全体を引き出し収容部１４から取り出すことができる。このため、引き出し２と引き出し収容部１４との間に隙間を設ける必要がなくなり、引き出し２と引き出し収容部１４との間から塵埃等が内部に侵入することが殆どなく、この内部が長期間にわたって汚染されにくくなる。しかも、ストッパー２４を取り外さない限り、引き出し２の全体を引き出し収容部１４から取り出すことができず、何かの拍子で引き出し２が引き出し収容部１４から抜け出すこともなくなる。
【００１８】
なお、上記実施の形態では、引き出し収容部１４の底壁１４ａに開口部１５を穿設しているが、これに限定するものではなく、上記底壁１４ａに、引き出し２の出し入れに応じてストッパー２４が移動するための凹部を形成し、この凹部の一部に、ストッパー２４を引き出し２から取り外して外部に取り出すための開口部を設けるようにしてもよい。また、上記開口部１５を引き出し収容部１４の左右両側壁の一方に設けてもよい。この場合には、引き出し２の左右両側壁の一方（上記開口部１５に対応する方）にストッパー２４を着脱自在に固定する。また、引き出し収容部１４に上側フェルト１７および横側フェルト１８を設けているが、これら各フェルト１７，１８に代えて、引き出し２の移動時における、内側鏡面部２２の表面の傷付き防止をでき、引き出し２と引き出し収容部１４との間のがた付き防止をできる各種のものを用いることができる。
【図面の簡単な説明】
【００１９】
【図１】本発明の陳列台の一形態を示す斜視図である。
【図２】上記陳列台の分解斜視図である。
【図３】陳列台本体の斜視図である。
【図４】上記陳列台本体を下から見た斜視図である。
【図５】上記陳列台本体の要部の断面図である。
【図６】上記陳列台本体の要部の断面図である。
【図７】引き出しの斜視図である。
【図８】上記引き出しを下から見た斜視図である。
【図９】上記引き出しの分解斜視図である。
【図１０】上記陳列台本体を下から見た斜視図である。
【図１１】上記陳列台本体の作用を示す斜視図である。
【図１２】従来例を示す斜視図である。
【図１３】従来例のストッパーを示す断面図である。
【図１４】上記ストッパーの作用を示す断面図である。
【符号の説明】
【００２０】
１  陳列台本体
２  引き出し
１４  引き出し収容部
１５  開口部
２４  ストッパー
【図１】
2005087545.tif 000003
【図２】
2005087545.tif 000004
【図３】
2005087545.tif 000005
【図４】
2005087545.tif 000006
【図５】
2005087545.tif 000007
【図６】
2005087545.tif 000008
【図７】
2005087545.tif 000009
【図８】
2005087545.tif 000010
【図９】
2005087545.tif 000011
【図１０】
2005087545.tif 000012
【図１１】
2005087545.tif 000013
【図１２】
2005087545.tif 000014
【図１３】
2005087545.tif 000015
【図１４】
2005087545.tif 000016